(57)【要約】【課題】特別な施工工事を行わずに、レイアウト変更が容易な引戸装置を提供する。【解決手段】開口を画定する三方枠と、開口に出入口３０を形成するＦＩＸパネル２３，２４と、ＦＩＸパネル２３，２４に沿って往復移動自在であって出入口３０を開閉する引戸パネル２７，２８とを備える。ＦＩＸパネル２３，２４は、三方枠に回動可能に支持されて、出入口３０の形成位置を変えられるように可動に構成されている。両引き分けモード、両サイド片引きモード両左勝手のモード、両右勝手のモードという４つのパターンを選択可能である。【選択図】図１
2013029016.tif 000002
【特許請求の範囲】
【請求項１】
開口を画定する三方枠と、前記開口の所定位置に出入口を形成するＦＩＸパネルと、前記ＦＩＸパネルに沿って往復移動自在であって前記出入口を開閉する引戸パネルとを備え、
前記ＦＩＸパネルは、前記出入口を塞ぐとともに前記ＦＩＸパネルのあった位置が新たな出入口となるように可動に構成されている引戸装置。
【請求項２】
前記ＦＩＸパネルは、回動可能に支持されている請求項１に記載の引戸装置。
【請求項３】
前記ＦＩＸパネルには、前記引戸パネルの戸先が当接可能な当接部が設けられている請求項２記載の引戸装置。
【請求項４】
前記ＦＩＸパネル及び前記引戸パネルは、それぞれ一対に設けられ、
一方のＦＩＸパネルの、方立側及び三方枠の縦枠側にはそれぞれ投光器が設けられ、
他方のＦＩＸパネルの、方立側及び三方枠の縦枠側にはそれぞれ受光器が設けられ、
前記三方枠のうち、前記一方のＦＩＸパネル側の縦枠に受光器が設けられ、
前記三方枠のうち、前記他方のＦＩＸパネル側の縦枠に投光器が設けられている請求項２又は３に記載の引戸装置。
【発明の詳細な説明】
【技術分野】
【０００１】
本発明は、引戸装置及び風除室に関するものである。
【背景技術】
【０００２】
従来の引戸装置は、下記特許文献１にも開示されているように、建物の壁面開口に取り付けられた三方枠にＦＩＸパネルが固定され、このＦＩＸパネルによって形成された出入口を開閉する引戸パネルが設けられている。ＦＩＸパネルは固定化されているため、例えば引戸パネルが一対に構成される場合、出入口が中央部（引き分けモード）あるいは左右両側（右勝手、左勝手）に固定されることになる。
【先行技術文献】
【特許文献】
【０００３】
【特許文献１】特開平９−２９１７５５号公報
【発明の概要】
【発明が解決しようとする課題】
【０００４】
従来の引戸装置では、ＦＩＸパネルが固定化されているため、出入口位置を変更することはできない。仮に施設管理者等の要望により、出入口位置を変更する必要が生じた場合には再度施工工事を行う必要がある。このため、レイアウト変更等に要望に容易に対処できないという問題がある。
【０００５】
そこで、本発明の目的は、特別な施工工事を行わずに、レイアウト変更が容易な引戸装置を提供することにある。
【課題を解決するための手段】
【０００６】
前記の目的を達成するため、本発明は、開口を画定する三方枠と、前記開口に出入口を形成するＦＩＸパネルと、前記ＦＩＸパネルに沿って往復移動自在であって前記出入口を開閉する引戸パネルとを備え、前記ＦＩＸパネルは、前記出入口の位置を変えられるように可動に構成されるとともに回動可能に支持され、前記ＦＩＸパネル及び前記引戸パネルの一対が、２つ平行に並んで配置され、両引戸パネルは独立して可動な構成で、前記開口の中央、左右両側、中央右寄りと左端、中央左寄りと右端の４パターンの出入口を形成可能であり、少なくとも一方のＦＩＸパネルには、前記引戸パネルの戸先が当接可能な当接部が設けられ、前記ＦＩＸパネルが回動されることによって前記出入口を塞ぎ、かつ回動される前に前記ＦＩＸパネルが配置されていた位置が新たな出入口となる引戸装置である。
【０００７】
本発明では、ＦＩＸパネルが可動に構成されて、出入口の形成位置が可変となっているので、引戸装置の施工後において、特別な施工工事を行わずにレイアウト変更を容易に行うことができる。例えば、引戸装置を施工した後に、その建物の店舗が変わるなど、施設管理者等がレイアウト変更を要望することがあり得るが、その場合であっても、特別な施工工事を行わずにレイアウト変更を容易に行うことができる。
【０００８】
また、前記ＦＩＸパネルが回動可能に支持されているため、ＦＩＸパネルを回動可能に軸支するだけでいい。このため、ＦＩＸパネルを可動な構成にするために必要な構成要素の簡素化を図ることができる。すなわち、ＦＩＸパネルを引戸式にスライドさせる場合には、ＦＩＸパネル用のレールが必要となるが、ＦＩＸパネルを回動可能な構成では、それに比べ部品点数を減らすことができる。
【０００９】
また、前記ＦＩＸパネル及び前記引戸パネルの一対が２つ平行に並んで配置され、両引戸パネルは独立して可動な構成で、前記開口の中央、左右両側、中央右寄りと左端、中央左寄りと右端の４パターンの出入口を形成可能であるため、開口の中央に出入口が形成される両引き分けモード、開口の左右両側にそれぞれ出入口が形成される両サイド片引きモード、開口の中央右寄りと左端に出入口が形成される両左勝手のモード、開口の中央左寄りと右端に出入口が形成される両右勝手のモードという４つのパターンを選択することができる。
【００１０】
また、少なくとも一方のＦＩＸパネルには、前記引戸パネルの戸先が当接可能な当接部が設けられているため、引戸パネルの閉じ位置を規定する柱を開口に設ける必要がなくなる。
【００１１】
また、前記ＦＩＸパネル及び前記引戸パネルが、それぞれ一対に設けられる場合において、一方のＦＩＸパネルの方立側及び三方枠の縦枠側にそれぞれ投光器が設けられ、他方のＦＩＸパネルの方立側及び三方枠の縦枠側にそれぞれ受光器が設けられ、前記三方枠のうち、前記一方のＦＩＸパネル側の縦枠に受光器が設けられ、前記三方枠のうち、前記他方のＦＩＸパネル側の縦枠に投光器が設けられているのが好ましい。
【００１２】
また、方立側に設けられた受光器若しくは投光器の配置は、方立内のみならずその周囲のいずれに設けられてもよい。
【００１３】
この態様では、何れのＦＩＸパネルを回動するかに応じて出入口のパターンが異なるが、どの場合であっても出入口を挟んで両側に投光器と受光器が向かい合うことになる。しかも、投受光器が３セットで済むので、投光器と受光器の個数を低減することができ、ＦＩＸパネルへの配線を簡素化することができる。つまり、各ＦＩＸパネルがそれぞれ左位置と右位置を取り得るため、合計４箇所の出入口を形成することが可能であるにも拘らず、投受光器を４セット設ける必要がなくなる。このため、投光器と受光器の個数を低減することができる。
【００１４】
本発明は、開口を画定する三方枠が互いに間隔をおいて配置されると共に、前記各開口にＦＩＸパネル及び引戸パネルがそれぞれ配設される風除室であって、前記ＦＩＸパネル及び前記引戸パネルが、前記引戸装置のＦＩＸパネル及び引戸パネルによって構成されている風除室である。
【００１５】
本発明では、出入口が通行者の通行方向に対向するようにＦＩＸパネルを位置させることができる一方、出入口が通行者の通行方向に対向しないようにＦＩＸパネルの位置を変更することも可能である。このため、屋外の天候等に応じて、通行者の導線を優先する出入口配置としたり、風の吹き抜けを抑制する出入口配置としたりすることができる。すなわち、施設管理者等の要望に容易に応じることができる。
【発明の効果】
【００１６】
以上説明したように、本発明によれば、特別な施工工事を行わずに、レイアウト変更を容易に行うことができる。
【図面の簡単な説明】
【００１７】
【図１】本発明の実施形態１に係る引戸装置の正面図である。
【図２】前記引戸装置を上から見た断面図である。
【図３】第２ＦＩＸパネルを第２状態としたときの図２相当図である。
【図４】前記引戸装置を出入口の幅方向に見た断面図である。
【図５】（ａ）両引き分けモードの閉じ状態を示し、（ｂ）両引き分けモードの開き状態を示す図である。
【図６】（ａ）両サイド片引きモードの閉じ状態を示し、（ｂ）両サイド片引きモードの開き状態を示す図である。
【図７】（ａ）両左勝手モードの閉じ状態を示し、（ｂ）両左勝手モードの開き状態を示す図である。
【図８】（ａ）両右勝手モードの閉じ状態を示し、（ｂ）両右勝手モードの開き状態を示す図である。
【図９】（ａ）〜（ｆ）本発明の実施形態２に係る風除室の概略図である。
【発明を実施するための形態】
【００１８】
以下、本発明の一実施形態について、図面を参照しつつ説明する。
【００１９】
（実施形態１）
図１に示すように、本実施形態に係る引戸装置１０は、建物に形成された開口に取り付けられる三方枠１２を備えている。三方枠１２は、一対の縦枠１３，１４と、両縦枠１３，１４の上端部間に架設される無目１６と、を有し、床面との間に矩形状の開口を画定している。そして、三方枠１２には下枠１８が接続されている。下枠１８は、両縦枠１３，１４の下端部間を接続している。図１は、建物の内側から引戸装置１０を見たときの状態を示す図である。なお、下枠１８は省略可能である。
【００２０】
引戸装置１０は、ＦＩＸパネル２３，２４と引戸パネル２７，２８とを備えている。ＦＩＸパネル２３，２４は、三方枠１２によって画定された開口に出入口３０を形成し、引戸パネル２７，２８は、この出入口３０を開閉するように往復移動自在である。引戸パネルを往復移動させるための駆動機構３２は、例えばベルト駆動方式のものであり、無目１６に収納されている（図４参照）。駆動機構３２として、第１引戸パネル２７を駆動する第１駆動機構と、第２引戸パネル２８を駆動する第２駆動機構とが設けられている。
【００２１】
本実施形態では、ＦＩＸパネル２３，２４及び引戸パネル２７，２８はそれぞれ一対となっている。具体的に、ＦＩＸパネルとしては、第１ＦＩＸパネル２３と第２ＦＩＸパネル２４とが設けられており、第１ＦＩＸパネル２３は、開口の中央部よりも図１における左側に位置し、第２ＦＩＸパネル２４は、開口の中央部よりも図１における右側に位置している。また、引戸パネルとしては、第１引戸パネル２７と第２引戸パネル２８とが設けられている。
【００２２】
第１引戸パネル２７は、開口の中央部よりも図１における左側に位置し、第１ＦＩＸパネル２３の屋内側に沿って移動可能である（図２参照）。一方、第２引戸パネル２８は、開口の中央部よりも図１における右側に位置し、第２ＦＩＸパネル２４の屋内側に沿って移動可能である。すなわち、第１引戸パネル２７は、開口のうち左半分の領域を往復移動可能であり、第２引戸パネル２８は、開口のうち右半分の領域を往復移動可能である。
【００２３】
第１引戸パネル２７及び第２引戸パネル２８は、同じ構成のものであり、それぞれ、矩形状の枠体３７，３８に透明板３９，４０が嵌め込まれた構成である。枠体３７の下框３７ａ，３８ａには、それぞれ振れ止め４２，４２が設けられている。振れ止め４２，４２は、ドアウェイに沿うように下枠１８に設けられたガイド溝４４（図４参照）に沿うようになっている。
【００２４】
また、三方枠１２の下枠１８には、鍵受け３４が設けられている。この鍵受け３４は、引戸パネル２７，２８のロックボルト（図示省略）を受入れ可能に構成されるものであり、ロックボルトに対応する位置に配設されている。
【００２５】
図２にも示すように、第１ＦＩＸパネル２３と第２ＦＩＸパネル２４は、それぞれ、矩形状の枠体４７，４８に透明板４９，５０が嵌め込まれた構成であるが、左右対称の配置とされている。
【００２６】
図１及び図２は、両引き分けモードのときの閉じ位置の状態を示している。具体的には、第１ＦＩＸパネル２３が開口の左端に位置付けられるとともに、第２ＦＩＸパネル２４が開口の右端に位置付けられ、両ＦＩＸパネル間に形成された出入口３０を２つの引戸パネル２７，２８が閉鎖している状態を示している。すなわち、第１ＦＩＸパネル２３は、第１引戸パネル２７の移動領域のうち、縦枠１３側（図１の左側）の半分の領域を塞ぐ外位置の状態にあり、第２ＦＩＸパネル２４は、第２引戸パネル２８の移動領域のうち、縦枠１４側（図１の右側）の半分の領域を塞ぐ外位置の状態となっている。
【００２７】
第１ＦＩＸパネル２３及び第２ＦＩＸパネル２４は、何れも、出入口３０の形成位置を変えられるように可動に構成されている。図３は、図２の第１状態にある第２ＦＩＸパネル２４を反転させることによって出入口３０の位置を変えた第２状態を示している。すなわち、図３では、第２ＦＩＸパネル２４は、第２引戸パネル２８の移動領域のうち、開口の中央寄りの半分の領域を塞ぐ内位置の状態となっている。以下、ＦＩＸパネル２３，２４の可動構造について具体的に説明する。
【００２８】
まず、第１ＦＩＸパネル２３の可動構造について説明すると、図１に示すように、無目１６及び下枠１８には、第１ＦＩＸパネル２３の縦框４７ａを回動可能に支持する軸支部５２がそれぞれ設けられている。この軸支部５２は、第１引戸パネル２７の移動領域における中心位置、すなわち開口幅の左端から４分の１の地点に位置する第１ＦＩＸパネル２３の縦框（方立側の縦框）４７ａを軸支している。言い換えると、第１ＦＩＸパネル２３は、第１引戸パネル２７が開閉する出入口３０側の縦枠１３を回動軸として三方枠１２に回動可能に支持されている。そして、第１ＦＩＸパネル２３を外側に向けて回動させることにより、第１ＦＩＸパネル２３は、第１引戸パネル２７の移動領域における中心位置を挟んで両側で固定される位置を取り得ることができ、出入口３０の形成位置が変わる。このように、第１ＦＩＸパネル２３を正転位置から反転位置に移動させた場合でも、第１引戸パネル２７の移動方向に直交する方向における第１ＦＩＸパネル２３の位置は、変わらない。このため、第１ＦＩＸパネル２３の移動後であっても、第１引戸パネル２７は第１ＦＩＸパネル２３に沿ってスライドできる。
【００２９】
第２ＦＩＸパネル２４の可動構造も第１ＦＩＸパネル２３の可動構造と同様である。すなわち、無目１６及び下枠１８に、第２ＦＩＸパネル２４の縦框４８ａを回動可能に支持する軸支部５４が設けられていて、この軸支部５４は、第２引戸パネル２８の移動領域における中心位置、すなわち開口幅の右端から４分の１の地点に位置する第２ＦＩＸパネル２４の縦框（方立側の縦框）４８ａを軸支している。言い換えると、第２ＦＩＸパネル２４は、出入口３０側の縦枠１３，１４を回動軸として三方枠１２に回動可能に支持されている。
【００３０】
図２及び図３に示すように、第１ＦＩＸパネル２３には、第２引戸パネル２８が当接可能な当接部５５が設けられている。この当接部５５は、第１引戸パネル２７が開閉する出入口３０とは反対側の縦框４７ｂ、換言すると第１引戸パネル２７の移動領域の端側に位置する縦框（戸尻側の縦框）４７ｂに設けられている。そして、当接部５５は、第１引戸パネル２７の移動方向と直交する方向に延出しており、その延出長さは、引戸パネルのドアウェイ上に至る程度となっている。ただし、当接部５５は、戸尻側の縦框４７ｂが開口の中心側に位置する第２状態のときに、第２引戸パネル（相手側の引戸パネル）２８のドアウェイに跨るように形成されており、図２に示す状態、すなわち戸尻側の縦框４７ｂが開口の端側に位置する第１状態では、当接部５５は、ドアウェイから離れる方向に第１ＦＩＸパネル２３から延出される。
【００３１】
一方、第２ＦＩＸパネル２４には、第１引戸パネル２７が当接可能な当接部５６が設けられている。この当接部５６は、第１ＦＩＸパネル２３の当接部５５と同様の構成であり、第２ＦＩＸパネル２４における戸尻側の縦框４８ｂに設けられている。
【００３２】
図１に示すように、引戸装置１０には、第１ＦＩＸパネル２３及び第２ＦＩＸパネル２４を施錠、解錠するロック手段が設けられている。ロック手段は、第１ＦＩＸパネル２３を施錠するためのロック部５７と、第２ＦＩＸパネル２４を施錠するためのロック部５８とを有する。ロック部５７，５８は、例えば、ＦＩＸパネル２３，２４の下框４７ｃ，４８ｃから下方に突出することにより下枠１８に係合する。下枠１８には、ＦＩＸパネル２３，２４が第１状態でも第２状態でもロック可能（ロック部５７，５８を受入れ可能）なように各ＦＩＸパネル２３，２４に対して２個所の受け部（図示省略）が形成されている。
【００３３】
第１ＦＩＸパネル２３には、方立側の縦框４７ａ及び戸尻側の縦框４７ｂにそれぞれ投光器６１，６１が設けられている。一方、第２ＦＩＸパネル２４には、方立側の縦框４８ａ及び戸尻側の縦框４８ｂにそれぞれ受光器６２，６２が設けられている。また、第１ＦＩＸパネル２３側の縦枠１３には、受光器６３が配設されており、第２ＦＩＸパネル２４側の縦枠１４には、投光器６４が配設されている。これらの投光器６１，６４及び受光器６２，６３は、引戸パネル２７，２８のドアウェイ上の人又は物を検知する補助センサを構成している。第１ＦＩＸパネル２３及び第２ＦＩＸパネル２４の何れもが第１状態にある場合には、第２ＦＩＸパネル２４の方立側縦框４８ａの受光器６２は、第１ＦＩＸパネル２３の方立側縦框４７ａの投光器６１から出射された光を検知可能である。第２ＦＩＸパネル２４のみが第２状態であれば、第１ＦＩＸパネル２３の方立側縦框４７ａの投光器６１からの光を第２ＦＩＸパネル２４の戸尻側縦框４８ｂの受光器６２で検知可能である。一方、第１ＦＩＸパネル２３のみが第２状態であれば、第１ＦＩＸパネル２３の戸尻側縦框４７ｂの投光器６１からの光を第２ＦＩＸパネル２４の方立側縦框４８ａの受光器６２で検知可能である。また、第１ＦＩＸパネル２３側の縦枠１３の受光器６３は、第２状態にある第１ＦＩＸパネル２３の方立側縦框４７ａの投光器６１から出射された光を検知可能であり、第２ＦＩＸパネル２４側の縦枠１４の投光器６４から出射された光は、第２状態にある第２ＦＩＸパネル２４の方立側縦框４８ａの受光器６２で検知可能である。
【００３４】
ここで、引戸装置１０が取り得る４つのモードについて説明する。４つのモードは、両引き分けモード、両サイド片引きモード、両左勝手のモード及び両右勝手のモードである。
【００３５】
両引き分けモードは、図５（ａ）（ｂ）に示すように、開口の中央に出入口３０が形成されるモードであり、第１ＦＩＸパネル２３及び第２ＦＩＸパネル２４は、共に開口の端側に位置する第１状態にある。このとき、第１ＦＩＸパネル２３の方立側の縦框４７ａに配置された投光器６１から出射された光は、第２ＦＩＸパネル２４の方立側の縦框４８ａに配置された受光器６２で受光される。そして、第１引戸パネル２７が右側に進出し、第２引戸パネル２８が左側に進出した閉じ位置から互いに離れる方向に各引戸パネル２７，２８が開き位置まで移動することにより、開口の中央で出入口３０が開放される。
【００３６】
両サイド片引きモードは、図６（ａ）（ｂ）に示すように、開口の左右両側にそれぞれ出入口３０が形成されるモードであり、第１ＦＩＸパネル２３及び第２ＦＩＸパネル２４は、共に開口の中央側に位置する第２状態にある。このとき、第１ＦＩＸパネル２３の方立側の縦框４７ａに配置された投光器６１から出射された光は、第１ＦＩＸパネル２３側の縦枠１３の受光器６３で受光される。つまり、第１引戸パネル２７が開閉する出入口３０を通過する通行人等を検知する。一方、第２ＦＩＸパネル２４側の縦枠１４の投光器６４から出射された光は、第２ＦＩＸパネル２４の受光器６２で受光される。つまり、第２引戸パネル２８が開閉する出入口３０を通過する通行人等を検知する。そして、両引戸パネル２７，２８は、開口の左右両側に進出した閉じ位置から互いに近づく方向に後退することにより、開口の左右両側でそれぞれ出入口３０が開放される。
【００３７】
なお、ＦＩＸパネル２３，２４を回動する際には、ＦＩＸパネル２３，２４の方立側の縦框４７ａ，４８ａが引戸パネル２７，２８と干渉することを避けるべく、引戸パネル２７，２８を移動させればよい。
【００３８】
両左勝手のモードは、図７（ａ）（ｂ）に示すように、開口の中央右寄りと左端に出入口３０が形成されるモードあり、第１ＦＩＸパネル２３が第２状態で、第２ＦＩＸパネル２４が第１状態にある。このとき、第１ＦＩＸパネル２３の方立側の縦框４７ａに配置された投光器６１から出射された光が、第１ＦＩＸパネル２３側の縦枠１３の受光器６３で受光され、第１引戸パネル２７が開閉する出入口３０を通過する通行人等を検知する。また、第１ＦＩＸパネル２３の戸尻側の縦框４７ｂに配置された投光器６１から出射された光が、第２ＦＩＸパネル２４の方立側の縦框４８ａに配置された受光器６２で受光され、第２引戸パネル２８が開閉する出入口３０を通過する通行人等を検知する。そして、両引戸パネル２７，２８は、それぞれ左側に進出した閉じ位置から右向きに後退することにより、開口の中央右寄りと左端で出入口３０が開放される。
【００３９】
このモードにおいて、開き位置にある第２引戸パネル２８が閉じ位置に向かって前進するときには、第２引戸パネル２８は、相手方のＦＩＸパネルである第１ＦＩＸパネル２３の戸尻側の当接部５５に当接して停止する。このため、第２引戸パネル２８の閉じ位置が確実に定まる。また、施工時において第２引戸パネル２８の閉じ位置を設定するのに、当接部５５を用いることができる。
【００４０】
両右勝手のモードは、図８（ａ）（ｂ）に示すように、開口の中央左寄りと右端に出入口３０が形成されるモードであり、第１ＦＩＸパネル２３が第１状態で、第２ＦＩＸパネル２４が第２状態にある。このとき、第１ＦＩＸパネル２３の方立側の縦框４７ａに配置された投光器６１から出射された光が、第２ＦＩＸパネル２４の戸尻側の縦框４８ｂに配置された受光器６２で受光され、第１引戸パネル２７が開閉する出入口３０を通過する通行人等を検知する。また、第２ＦＩＸパネル２４側の縦枠１４の投光器６４から出射された光が、第２ＦＩＸパネル２４の方立側の縦框４８ａに配置された受光器６２で受光され、第２引戸パネル２８が開閉する出入口３０を通過する通行人等を検知する。そして、両引戸パネル２７，２８は、それぞれ右側に進出した閉じ位置から左向きに後退することにより、開口の中央と右端で出入口３０が開放される。
【００４１】
このモードにおいて、開き位置にある第１引戸パネル２７が閉じ位置に向かって前進するときには、第１引戸パネル２７は、相手方のＦＩＸパネルである第２ＦＩＸパネル２４の戸尻側の当接部５６に当接して停止する。このため、第１引戸パネル２７の閉じ位置が確実に定まる。また、施工時において第１引戸パネル２７の閉じ位置を設定するのに、当接部５６を用いることができる。
【００４２】
以上説明したように、本実施形態によれば、ＦＩＸパネル２３，２４が可動に構成されて、出入口３０の形成位置が可変となっているので、引戸装置１０の施工後において、特別な施工工事を行わずにレイアウト変更を容易に行うことができる。例えば、引戸装置１０を施工した後に、その建物の店舗が変わるなど、施設管理者等がレイアウト変更を要望することがあり得るが、その場合であっても、特別な施工工事を行わずにレイアウト変更を容易に行うことができる。つまり、三方枠１２に固定されたＦＩＸパネルを取り外し、再び固定するといった面倒な工事が不要となる。
【００４３】
しかも本実施形態では、ＦＩＸパネル２３，２４が回動することで出入口３０の位置が変わるようになっているので、ＦＩＸパネル２３，２４の回動可能に軸支するだけでよい。このため、ＦＩＸパネル２３，２４を可動な構成にするために必要な構成要素の簡素化を図ることができる。すなわち、ＦＩＸパネル２３，２４を引戸式にスライドさせる場合には、ＦＩＸパネル用のレールが必要となるが、ＦＩＸパネル２３，２４を回動可能な構成では、それに比べ部品点数を減らすことができる。
【００４４】
また本実施形態では、開口の中央に出入口３０が形成される両引き分けモード、開口の左右両側に出入口３０が形成される両サイド片引きモード、開口の中央右寄りと左端に出入口３０が形成される両左勝手のモード、開口の中央左寄りと右端に出入口３０が形成される両右勝手のモードという４つのパターンを選択することができる。このため、ユーザの多様な要望に応え易いものとなっている。
【００４５】
しかも本実施形態では、ＦＩＸパネル２３，２４に引戸パネル２７，２８が当接可能な当接部５５，５６が設けられているので、引戸パネル２７，２８の閉じ位置を規定する柱を開口に設ける必要がなくなる。
【００４６】
さらに本実施形態では、何れのＦＩＸパネル２３，２４を回動するかに応じて出入口３０のパターンが異なるが、どの場合であっても出入口３０を挟んで両側に投光器６１，６４と受光器６２，６３が向かい合うことになる。しかも、投受光器が３セットで済むので、投光器６１，６４と受光器６２，６３の個数を低減することができ、ＦＩＸパネル２３，２４への配線を簡素化することができる。つまり、各ＦＩＸパネル２３，２４がそれぞれ左位置と右位置を取り得るため、合計４箇所の出入口３０を形成することが可能であるにも拘らず、投受光器を４セット設ける必要がなくなる。このため、投光器６１，６４と受光器６２，６３の個数を低減することができる。
【００４７】
なお、本発明は、前記実施形態に限られるものではなく、その趣旨を逸脱しない範囲で種々変更、改良等が可能である。
【００４８】
（実施形態２）
図９（ａ）〜（ｆ）に示すように、第２実施形態は、開口を画定する三方枠１２が互いに間隔をおいて配置されるとともに、各開口にそれぞれＦＩＸパネル２３，２４と引戸パネル２７，２８が配設された風除室である。図９は、風除室を上から見たときの概略図である。
【００４９】
両三方枠１２の左右両端部間には、通行者が通行する方向に延びる一対の接続壁７０が配設されていて、風除室は、三方枠１２及び接続壁７０によって区画された平面視矩形状に形成されている。各図において、例えば上側が屋内側であり、下側が屋外側であり、この風除室には、屋内側の引戸装置７２と、屋外側の引戸装置７４とが設けられている。
【００５０】
各引戸装置７２，７４の構成は、実施形態１の引戸装置１０と同様の構成である。そして、各引き戸装置の動作モードとして、それぞれ、両引き分けモード、両サイド片引きモード、両左勝手のモード及び両右勝手のモードという４つのモードが可能となっている。屋内側の引戸装置７２と屋外側の引戸装置７４とは、個別にモードの切り替えが可能となっているため、屋内側のＦＩＸパネル２３，２４と屋外側のＦＩＸパネル２３，２４とが対向する配置関係（図９（ａ）（ｆ））、屋内側の両ＦＩＸパネル２３，２４と屋外側の両ＦＩＸパネル２３，２４とがそれぞれ位置ずれした配置関係（図９（ｄ）（ｅ））、屋内側の一方のＦＩＸパネル２３，２４と屋外側の一方のＦＩＸパネル２３，２４とが対向するとともに、屋内側の他方のＦＩＸパネル２３，２４と屋外側の他方のＦＩＸパネル２３，２４とが位置ずれした配置関係（図９（ｂ）（ｃ））を取り得る。換言すると、図９（ａ）（ｆ）は、出入口３０が通行者の通行方向に対向する配置となっており、図９（ｄ）（ｅ）は、出入口３０が通行者の通行方向に対向しない配置であり、図９（ｂ）（ｃ）は、一方の出入口３０が通行方向に対向する一方、他方の出入口３０が通行方向に対向しない配置となっている。
【００５１】
本実施形態では、出入口３０が通行者の通行方向に対向するようにＦＩＸパネル２３，２４を位置させることができる一方、出入口３０が通行者の通行方向に対向しないようにＦＩＸパネル２３，２４の位置を変更することも可能である。このため、屋外の天候等に応じて、通行者の導線を優先する出入口配置としたり、風の吹き抜けを抑制する出入口配置としたりすることができる。すなわち、施設管理者等の要望に容易に応じることができる。
【符号の説明】
【００５２】
１２  三方枠
１３  縦枠
１４  縦枠
１６  無目
１８  下枠
２３  第１ＦＩＸパネル
２４  第２ＦＩＸパネル
２７  引戸パネル
２８  引戸パネル
３０  出入口
５５  当接部
５６  当接部
６１  投光器
６２  受光器
６３  受光器
６４  投光器
【図１】
2013029016.tif 000003
【図２】
2013029016.tif 000004
【図３】
2013029016.tif 000005
【図４】
2013029016.tif 000006
【図５】
2013029016.tif 000007
【図６】
2013029016.tif 000008
【図７】
2013029016.tif 000009
【図８】
2013029016.tif 000010
【図９】
2013029016.tif 000011